(57)【要約】【課題】本発明は、１サイクル終了後、次サイクルに行く前に、前記１サイクル終了後に得られるパリソン情報に基づいて次パリソンコントロール波形を演算して次サイクルを開始し、パリソン歩留りを向上することである。【解決手段】本発明による中空成形機におけるパリソンコントロールの制御方法は、１サイクル(C1)が終了した終了信号(22)が出た後、次サイクル(C2)に行くまでの間に得られるパリソン情報(20)に次パリソンコントロール波形(7a)を演算する演算時間(T)を設け、次サイクル(C2)では次パリソンコントロール波形(7a)を用いてパリソン(4)を形成する方法である。【選択図】図１
2013244629.tif 000002
【特許請求の範囲】
【請求項１】
１サイクル(C1)で予め設定されたパリソンコントロール波形(7)に基づいてクロスヘッド(1)からパリソン(4)が吐出され、前記１サイクル(C1)が終了した終了信号(22)が出た後、次の次サイクル(C2)に行くまでの間に、前記終了と同時に得られるパリソン情報(20)に基づいた次パリソンコントロール波形(7a)を演算する演算時間(T)を設け、前記次サイクル(C2)では前記次パリソンコントロール波形(7a)を用いてパリソン(4)を形成することを特徴とする中空成形機におけるパリソンコントロールの制御方法。
【発明の詳細な説明】
【技術分野】
【０００１】
本発明は、中空成形機におけるパリソンコントロールの制御方法に関し、特に、サイクル終了後、次サイクルに行く前に、前記サイクル終了後に得られるパリソン情報に基づいて次パリソンコントロール波形を演算して次サイクルに用い、パリソン歩留りを向上させるための新規な改良に関する。
【背景技術】
【０００２】
従来、用いられていたこの種の中空成形機におけるパリソンの肉厚制御方法としては、例えば、特許文献１の方法を挙げることができ、パリソンの肉厚プロファイルを用いて中空成形を行っている。
前述の特許文献１に開示されたような中空成形機においては、特許文献１には具体的に開示されていないが、一般に、図３で示されるパリソンコントロールの制御方法が用いられている。
【０００３】
すなわち、図３において符号１で示されるものは、中空成形機２のクロスヘッドであり、このクロスヘッド１の下部に形成され図示しない周知のダイとコアよりなる輪状の吐出口３からパリソン４が垂下するように構成されている。
前記中空成形機２には、前記パリソン４の肉厚等を含めてサイクル中のパリソン４の吐出を制御するためのパリソンコントローラ５が設けられ、このパリソンコントローラ５のパリソンコントロール画面６には、予め設定して入力されたパリソン４の長さ方向に沿う肉厚を示す予め設定されたパリソンプロファイルであるパリソンコントロール波形７を示す映像ディスプレイが表示されている。
【０００４】
前述の中空成形機２において、パリソン４の吐出を行う場合、図３のＡ〜Ｆの工程となる。
すなわち、第１工程Ａにおいては、前記パリソンコントロール画面６に表示され、予め設定されたパリソンコントロール波形７のデータに基づいて制御されたクロスヘッド１からパリソン４が吐出1下され、第２工程Ｂから第３工程Ｃにおいて所定長さのパリソン４が吐出・垂下した状態となる。
【０００５】
次に、第４工程Ｄとなると、前記パリソン４を一対の冷却用金型８が挟持できる状態となり、第５工程Ｅにおいては、前記冷却用金型８によって上端４ａと下端４ｂが挟持され、パリソン切断装置１０のカッター９によって上端４ａが切断され、前記冷却用金型８で挟持された切断後のパリソン４は、図示しない移動装置を介して所定位置に移動され、エアー吹込み針(図示しない)によって冷却用金型８内でエア注入されて中空成形が行われる。
前記カッター９よるパリソン４の上端４ａの切断による最初の１サイクルＣ１が終了したことを示す終了信号の出力に伴い、前記パリソンコントロール波形７は最初の第１工程Ａの時と同じパリソンコントロール波形７に戻り、第６工程Ｆにおいて前記第１工程Ａと同じサイクルのパリソンコントロール波形７に基づく次サイクルが開始される。
【０００６】
図３は、一般のパリソン４の吐出とパリソンコントロール画面６の構成と動作について述べたが、図４には、従来用いられているパリソンコントロール制御方法が開示されている。
尚、前述の図３の構成と同一部分には同一符号を付し、図３の第１工程Ａから第６工程Ｆ迄の各工程のうち、第１工程Ａと第４工程Ｄとを省略し、第２工程Ｂ、第３工程Ｃ、第５工程Ｅ及び第６工程Ｆとして説明する。
【０００７】
図４において、第２工程Ｂでは、予め設定されたパリソンコントロール波形７に基づいて、クロスヘッド１からパリソン４が吐出・垂下されており、第３工程Ｃにおいては、所定長さのパリソン４が吐出・垂下した状態となる。
前述の第２工程Ｂから第３工程Ｃ迄の間に、パリソンコントロール波形７を変更した場合、この変更したパリソンコントロール波形７は第５工程Ｅにおいて演算され、その結果、決定された前記パリソンコントロール波形７は次パリソンコントロール波形７ａとして第６工程Ｆで示すように、次の次のサイクルＣ３に反映させることができる。
【０００８】
但し、前述の第５工程Ｅの時に、前記パリソンコントロール波形７を決定しているため、次サイクルＣ２においては前述の第５工程Ｅの時に決定された次パリソンコントロール波形７ａは反映されず、その次の次のサイクルＣ３において反映されることになる。
【先行技術文献】
【特許文献】
【０００９】
【特許文献１】特許第４，４６５，２９９号公報
【発明の概要】
【発明が解決しようとする課題】
【００１０】
従来のパリソンコントロールの制御方法は、以上のように構成されていたため、次のような課題が存在していた。
すなわち、前述の従来方法においては、１サイクル終了前の第２工程Ｂから第３工程Ｃに行く間にパリソンコントロール波形７を変更した場合に、次のサイクルの終りでパリソンコントロール波形７ａを決定しているため、この決定されたパリソンコントロール波形７ａは次の次のサイクルで反映されることになり、最初のサイクルから見ると、次サイクルでは変更したパリソンコントロール波形が反映されず、次の次である３回目のサイクルで反映されてパリソンの成形が行われ、２回目の次サイクルでは、１サイクル分の樹脂原料、時間等を無駄にすることになっていた。
【００１１】
前述の各サイクルの状態は、図５に示すように、中空成形機２のスタート後、最初の１サイクルＣ１の途中でパリソンコントロール波形７の変更を行った場合、次サイクルＣ２でパリソン波形データ７ａの演算を行い、次の次のサイクルＣ３である３サイクル目において初めてパリソン波形データ７の反映がなされてパリソン４の吐出が行われることにより、前述のように、１サイクル分の樹脂及び時間等が無駄となっていた。
【００１２】
本発明は、１サイクル終了の信号を受け取ってから次サイクルに行くまでの間に、次パリソンコントロール波形を演算し、次サイクルで次パリソンコントロール波形を用いてパリソンを形成することである。
【課題を解決するための手段】
【００１３】
本発明による中空成形機におけるパリソンコントロールの制御方法は、１サイクルで予め設定されたパリソンコントロール波形に基づいてクロスヘッドからパリソンが吐出され、前記１サイクルが終了して終了信号が出た後、次の次サイクルに行くまでの間に、前記終了と同時に得られるパリソン情報に基づいた次パリソンコントロール波形を演算し、前記次サイクルでは前記次パリソンコントロール波形を用いてパリソンを形成する方法である。
【発明の効果】
【００１４】
本発明による中空成形機におけるパリソンコントロールの制御方法は、以上のように構成されているため、次のような効果を得ることができる。
すなわち、１サイクルで予め設定されたパリソンコントロール波形に基づいてクロスヘッドからパリソンが吐出され、前記１サイクルが終了して終了信号が出た後、次の次サイクルに行くまでの間に、前記終了と同時に得られるパリソン情報に基づいた次パリソンコントロール波形を演算し、前記次サイクルでは前記次パリソンコントロール波形を用いてパリソンを形成することにより、１サイクル終了の終了信号を受け取ってから、次サイクルに行くまでの間に、演算時間を設けたことで、次サイクルの前に次の次サイクル用の次パリソンコントロールの波形を演算し、それによって、従来のように、次サイクルを無駄にすることなく、１サイクルから次サイクルに続けて有効なパリソンの吐出を行うことができ、従来に比較すると、１サイクル分の樹脂原料、時間、経費等の無駄を防止することができる。
【図面の簡単な説明】
【００１５】
【図１】本発明による中空成形機におけるパリソンコントロールの制御方法を示す説明図である。
【図２】図１の動作を示すフロー図である。
【図３】従来のパリソンの吐出とパリソンコントロール画面を示す説明図である。
【図４】従来のパリソンコントロール制御方法を示す説明図である。
【図５】図４の動作を示すフロー図である。
【発明を実施するための形態】
【００１６】
本発明は、１サイクル終了後、次サイクルに行く前に、前記１サイクル終了後に得られるパリソン情報に基づいて次パリソンコントロール波形を演算して次サイクルに用いて開始し、パリソン歩留りを向上させるようにした中空成形機におけるパリソンコントロールの制御方法を提供することを目的とする。
【実施例】
【００１７】
以下、図面と共に本発明による中空成形機におけるパリソンコントロールの制御方法の好適な実施の形態について説明する。
尚、従来例と同一又は同等部分には、同一符号を用いて説明する。
図１は、本発明による中空成形機におけるパリソンコントロールの制御方法の各工程を示す説明図である。
図１において符号１で示されるものは、中空成形機２のクロスヘッドであり、このクロスヘッド１の下部に形成され図示しない周知のダイとコアよりなる輪状の吐出口３からパリソン４が垂下するように構成されている。
【００１８】
前記中空成形機２には、前記パリソン４の肉厚等を含めてサイクル中のパリソン４の吐出を制御するためのパリソンコントローラ５が設けられ、このパリソンコントローラ５のパリソンコントロール画面６には、予め設定して入力されたパリソン４の長さ方向に沿う肉厚を示す予め設定されたパリソンプロファイルであるパリソンコントロール波形７を示す画像が表示されている。
【００１９】
前述の中空成形機において、パリソン４の吐出を行う場合、工程説明を省略するために、図３の従来例で示される第２工程Ｂ及び第５工程Ｅを用いて１サイクルＣ１のパリソン４の吐出工程を示しており、この１サイクルＣ１のサイクル終了時から次の次サイクルＣ２が開始されるまでの間は、演算時間Ｔが設定されている。
【００２０】
前述の図１の第２工程Ｂにおいては、予め設定されたパリソンコントロール波形７が決定され、このパリソンコントロール波形７に基づいてパリソンコントローラ５によりクロスヘッド１が制御され、パリソンコントロール波形７の半分程度に相当するパリソン４が吐出・垂下された状態を示している。
【００２１】
次に、図１の第５工程Ｅでは、前記パリソンコントロール波形７を用いてクロスヘッド１から吐出・垂下が完了したパリソン４の上部４ａと下部４ｂを一対の冷却用金型８で挟持し、パリソン切断装置１０のカッター９で切断してサイクル終了２１となり、このサイクル終了２１を示すための終了信号２２がパリソンコントローラ５から出力される。
【００２２】
前記サイクル終了２１を知らせる前記終了信号２２が前記パリソンコントローラ５から出力される（すなわち、１サイクルＣ１が終了した状態）と同時に前記パリソンコントローラ５から、図示しない周知のパリソン検出装置で検出したパリソン４の長さ、パリソン４の重量等からなるパリソン情報２０が出力され、このパリソン情報２０は次のサイクルである次サイクルＣ２で用いる次パリソンコントロール波形７ａの作成において反映され、前記次サイクルＣ２用に用いられる前記次パリソンコントロール波形７ａが前記パリソン情報２０に基づいて修正が必要であれば修正された上で形成される。
【００２３】
前述のように、パリソン情報２０をパリソンコントロール波形７に反映させて形成された次パリソンコントロール波形７ａを用いて、次の２サイクル目の次サイクルＣ２が開始されるため、前述の従来のように、次サイクルＣ２へのパリソンコントロール波形７の修正が間に合わず、次サイクルＣ２で成形したパリソン４が無駄となるようなこともなく、２サイクル目である次サイクルＣ２から所望の特性のパリソン４を成形することができる。
【００２４】
前述の本発明による中空成形機におけるパリソンコントロールの制御方法については、図２に、前述の図１の１サイクルＣ１、演算時間Ｔ及び次サイクルＣ２の各工程を示すフローが開示されており、１サイクルＣ１の後において演算時間Ｔが設けられ、次サイクルＣ２においては、前記パリソン情報２０が反映された次パリソンコントロール波形７ａを用いてパリソン４を成形することが明示されている。
【００２５】
尚、前述の本発明による中空成形機におけるパリソンコントロールの制御方法の要旨とするところは、以下の通りである。
すなわち、１サイクルＣ１で予め設定されたパリソンコントロール波形７に基づいてクロスヘッド１からパリソン４が吐出され、前記１サイクルＣ１が終了した終了信号２２が出た後、次の次サイクルＣ２に行くまでの間に、前記終了と同時に得られるパリソン情報２０に基づいた次パリソンコントロール波形７ａを演算する演算時間Ｔを設け、前記次サイクルＣ２では前記次パリソンコントロール波形７ａを用いてパリソン４を形成する方法である。
【産業上の利用可能性】
【００２６】
本発明による中空成形機におけるパリソンコントロールの制御方法は、１サイクル終了後の次サイクルに行く迄の間に演算時間を設定して、パリソン情報を反映させて次パリソンコントロール波形を形成することができ、従来のような次サイクル分の樹脂原料及び時間等を無駄にすることなく、中空成形することができる。
【符号の説明】
【００２７】
１    クロスヘッド
２    中空成形機
４    パリソン
４ａ    上部
４ｂ    下部
５    パリソンコントローラ
６    パリソンコントロール画面
７    パリソンコントロール波形
７ａ    次パリソンコントロール波形
９    カッター
１０    パリソン切断装置
２０    パリソン情報
２１    サイクル終了
２２    終了信号
Ｃ１    １サイクル
Ｃ２    次サイクル
Ｔ    演算時間
Ａ〜Ｆ    第１〜第６工程
【図１】
2013244629.tif 000003
【図２】
2013244629.tif 000004
【図３】
2013244629.tif 000005
【図４】
2013244629.tif 000006
【図５】
2013244629.tif 000007